(57)【要約】  本発明は、パイプ保護ホルダ及びエアーコンディショナーを提供し、エアーコンディショナーの技術分野に関する。該パイプ保護ホルダは、パイプ保護部材と、取り付け部材とを備える。パイプ保護部材内には、パイプハーネスを収容するためのパイプ保護室が設けられ、パイプ保護部材が取り付け部材に接続され、パイプ保護部材が壁掛け板に取り外し可能に接続され、取り付け部材が上台座に回転接続される。本発明のパイプ保護ホルダは、従来のそれに比べて、パイプ保護室が設けられるパイプ保護部材、及び上台座に回転接続される取り付け部材を用い、従って、エアーコンディショナーを脱着するとき、パイプ割れ現象の発生を防止することができ、且つ脱着しやすく、メンテナンス過程がシンプルであり、時間と手間を省き、安全性能が良好である。【選択図】図２
2021503064.tif 000002
【特許請求の範囲】
【請求項１】
上台座（２）と、壁掛け板（４）とを備え、前記上台座（２）が前記壁掛け板（４）に反転可能に係止接続されるエアーコンディショナーに適用されるパイプ保護ホルダであって、
パイプ保護部材（６）と、取り付け部材（７）とを備え、
前記パイプ保護部材（６）内にパイプハーネス（２０）を収容するためのパイプ保護室（８）が設けられ、
前記パイプ保護部材（６）が前記取り付け部材（７）に接続され、
前記パイプ保護部材（６）が前記壁掛け板（４）に取り外し可能に接続され、
前記取り付け部材（７）が前記上台座（２）に回転接続される、ことを特徴とするパイプ保護ホルダ。
【請求項２】
前記取り付け部材（７）の前記パイプ保護部材（６）とは反対側の一端には、回転部（１０）が設けられ、
前記回転部（１０）が前記上台座（２）に取り外し可能に回転接続される、ことを特徴とする請求項１に記載のパイプ保護ホルダ。
【請求項３】
前記回転部（１０）は、第１接続部（１１）と、第２接続部（１２）と、取り付け部（１３）とを含み、
前記第１接続部（１１）は、前記取り付け部（１３）を介して前記第２接続部（１２）に接続され、且つ組み合わせられて回転室（１４）を形成し、
前記上台座（２）は、前記回転室（１４）を貫通して、前記取り付け部（１３）に回転接続される、ことを特徴とする請求項２に記載のパイプ保護ホルダ。
【請求項４】
前記取り付け部材（７）は、数が２つであり、２つの前記取り付け部材（７）は、前記パイプ保護部材（６）の両端に対向して設けられる、ことを特徴とする請求項１に記載のパイプ保護ホルダ。
【請求項５】
前記パイプ保護部材（６）の前記取り付け部材（７）とは反対側の一端には、前記壁掛け板（４）に係止するための引っ掛かり部（１５）が設けられることを特徴とする請求項１に記載のパイプ保護ホルダ。
【請求項６】
前記パイプ保護部材（６）は、複数の接続板を組み合わせて形成され、複数の前記接続板の側辺が順次に接続される、ことを特徴とする請求項１に記載のパイプ保護ホルダ。
【請求項７】
前記接続板は、数が３つであり、それぞれ第１接続板（１７）、第２接続板（１８）及び第３接続板（１９）であり、
前記第１接続板（１７）、前記第２接続板（１８）及び前記第３接続板（１９）は、順次に接続され、且つ組み合わせられて前記パイプ保護室（８）を形成し、
前記第１接続板（１７）の前記第２接続板（１８）とは反対側の一端が、前記第３接続板（１９）の前記第２接続板（１８）とは反対側の一端と同一水平面内にあり、
前記取り付け部材（７）が前記第１接続板（１７）に接続され、
前記第３接続板（１９）が前記壁掛け板（４）に取り外し可能に接続される、ことを特徴とする請求項６に記載のパイプ保護ホルダ。
【請求項８】
上台座（２）と、壁掛け板（４）と、請求項１〜７のいずれか１項に記載のパイプ保護ホルダとを備え、
前記パイプ保護部材（６）が前記壁掛け板（４）に取り外し可能に接続され、前記取り付け部材（７）が前記上台座（２）に回転接続される、ことを特徴とするエアーコンディショナー。
【請求項９】
前記上台座（２）の底部には、逆鉤状の回転部（９）が設けられ、
前記回転部（９）が前記取り付け部材（７）に取り外し可能に回転接続される、ことを特徴とする請求項８に記載のエアーコンディショナー。
【請求項１０】
下台座（３）をさらに含み、前記上台座（２）が前記下台座（３）に取り外し可能に接続され、
前記下台座（３）が前記壁掛け板（４）に係止される、ことを特徴とする請求項８に記載のエアーコンディショナー。
【発明の詳細な説明】
【技術分野】
【０００１】
本発明は、エアーコンディショナー技術分野に関し、とりわけパイプ保護ホルダ及びエアーコンディショナーに関する。
【背景技術】
【０００２】
エアーコンディショナー（室内機）のエアダクトは、汚染されやすくて環境品質に影響を与えてしまい、エアーコンディショナーを洗浄するために、現在、洗浄しやすいエアーコンディショナーを開発している。したがって、エアーコンディショナーの中間枠は、台座から取り外しやすく、且つ台座を上台座及び下台座に分割するように設計することができ、それにより、エアーコンディショナーの内部の洗浄を達成する。
【０００３】
エアーコンディショナーの洗浄では、まず、エアーコンディショナーの中間枠を上台座及び下台座から取り外して、次に下台座を上台座から取り外し、上台座が壁掛け板を介して壁に移動不可能に取り付けられ、すなわち、エアーコンディショナーの洗浄では、下台座を取り外して内部構成部品を洗浄すればよい。
【０００４】
しかしながら、上台座と下台座との嵌合箇所の裏面には、接続パイプ、ドレンパイプ、電源ケーブルなどを含むパイプハーネスが設けられる。接続パイプ、ドレンパイプ、電源ケーブルなどが、防水ビニールテープ、保温パイプで巻き付けられてパイプハーネスを形成し、ノックアウト穴を介して室外機の接続パイプ、電源ケーブルなどに接続される。下台座の取り外しでは、下台座の裏面とパイプハーネスとの間が相対運動するため、摩擦し合い、台座を複数回着脱すると、接続パイプの外周の保温パイプがひどく摩損され（パイプ割れ現象）、保温効果が悪くなったり、接続パイプの外壁に凝集水が生じたりしてしまう。さらに、パイプハーネスは、剛性が小さくて、固定されていない構造であり、下台座の脱着では、その位置が下台座により押されてずれることにより、脱着難度が高まってしまう。
【発明の概要】
【発明が解決しようとする課題】
【０００５】
これに鑑みて、本発明は、パイプ割れ現象の発生を回避でき、脱着しやすく、メンテナンス過程がシンプルであり、時間と手間を省き、安全性能が良好であるパイプ保護ホルダを提供することを目的とする。
【０００６】
上記目的を達成するために、本発明の技術案は以下のように実現される。
【課題を解決するための手段】
【０００７】
上台座と、壁掛け板とを備え、上台座が壁掛け板に反転可能に係止接続されるエアーコンディショナーに適用されるパイプ保護ホルダであって、パイプ保護部材と、取り付け部材とを備え、パイプ保護部材内には、パイプハーネスを収容するためのパイプ保護室が設けられ、パイプ保護部材が取り付け部材に接続され、パイプ保護部材が壁掛け板に取り外し可能に接続され、取り付け部材が上台座に回転接続される。
【０００８】
さらに、取り付け部材のパイプ保護部材とは反対側の一端には、回転部が設けられ、回転部が上台座に取り外し可能に回転接続される。
【０００９】
さらに、回転部は、第１接続部と、第２接続部と、取り付け部とを含み、第１接続部は、取り付け部を介して第２接続部に接続され、且つ組み合わせられて回転室を形成し、上台座は、回転室を貫通して、取り付け部に回転接続される。
【００１０】
さらに、取り付け部材は、数が２つであり、２つの取り付け部材は、パイプ保護部材の両端に対向して設けられる。
【００１１】
さらに、パイプ保護部材の取り付け部材とは反対側の一端には、壁掛け板に係止するための引っ掛かり部が設けられる。
【００１２】
さらに、パイプ保護部材は、複数の接続板を組み合わせて形成され、複数の接続板の側辺が順次に接続される。
【００１３】
さらに、接続板は、数が３つであり、それぞれ第１接続板、第２接続板及び第３接続板であり、第１接続板、第２接続板及び第３接続板は、順次に接続され、且つ組み合わせられてパイプ保護室を形成し、第１接続板の第２接続板とは反対側の一端が、第３接続板の第２接続板とは反対側の一端と同一の水平面にあり、取り付け部材が第１接続板に接続され、第３接続板が壁掛け板に取り外し可能に接続される。
【発明の効果】
【００１４】
本発明のパイプ保護ホルダは、従来のそれに比べて、以下の利点を有する。
本発明のパイプ保護ホルダは、パイプ保護部材内には、パイプハーネスを収容するためのパイプ保護室が設けられ、パイプ保護部材が取り付け部材に接続され、パイプ保護部材が壁掛け板に取り外し可能に接続され、取り付け部材が上台座に回転接続される。本発明のパイプ保護ホルダは、従来技術に比べて、パイプ保護室が設けられるパイプ保護部材、及び上台座に回転接続される取り付け部材を用いることにより、エアーコンディショナーを脱着するとき、パイプ割れ現象の発生を防止することができ、且つ脱着しやすく、メンテナンスがシンプルであり、時間と手間を省き、安全性能が良好である。
【００１５】
本発明の他の目的は、パイプ割れ現象の発生を回避でき、脱着しやすく、メンテナンスがシンプルであり、時間と手間を省き、安全性能が良好なエアーコンディショナーを提供することである。
【００１６】
上記目的を達成するために、本発明の技術案は以下のように実現される。
【００１７】
上台座と、壁掛け板と、上記パイプ保護ホルダとを備えるエアーコンディショナーであって、パイプ保護部材が壁掛け板に取り外し可能に接続され、取り付け部材が上台座に回転接続される。
【００１８】
さらに、上台座の底部には、逆鉤状の回転部が設けられ、回転部が取り付け部材に取り外し可能に回転接続される。
【００１９】
さらに、エアーコンディショナーは、下台座をさらに含み、上台座が下台座に取り外し可能に接続され、下台座が壁掛け板に係止される。
【００２０】
本発明のエアーコンディショナーは、従来のそれに比べて、以下の利点を有する。
本発明のエアーコンディショナーは、パイプ保護ホルダを備え、構成が簡単で、エアーコンディショナーを脱着するとき、パイプ割れ現象の発生を防止でき、且つ脱着しやすく、メンテナンス過程がシンプルであり、時間と手間を省き、安全性能が良好である。
【００２１】
前記エアーコンディショナーは、従来のそれに比べて、上記パイプ保護ホルダと同じ利点を有し、ここで繰り返し説明しない。
【００２２】
図面は、本発明の更なる理解を提供するために用いられ、本発明の一部を構成するものである。本発明の例示的な実施例及び説明は、本発明を解釈するためのものであり、本発明に対する不適切な制限を構成するものではない。
【図面の簡単な説明】
【００２３】
【図１】本発明の実施例のエアーコンディショナーの構造模式図である。
【図２】本発明の実施例のエアーコンディショナーの爆発構造模式図である。
【図３】本発明の実施例のエアーコンディショナーの断面図である。
【図４】図３における回転部の構造模式図である。
【図５】本発明の実施例のパイプ保護ホルダの構造模式図である。
【図６】図５におけるＶＩ部分の局所的な拡大図である。
【図７】本発明の実施例のエアーコンディショナーの取り付け方法のフローチャートである。
【発明を実施するための形態】
【００２４】
なお、本発明の実施例及び実施例の特徴は、矛盾がない限り、互いに組み合わせることができる。
【００２５】
以下、図面を参照しながら実施例と組み合わせて本発明について詳細に説明する。
【００２６】
実施例
図１及び図２を参照して、本発明の実施例は、屋内の気温を制御するためのエアーコンディショナー１を提供するものであり、本実施例のエアーコンディショナー１は、パイプ割れ現象の発生を回避でき、脱着しやすく、メンテナンス過程がシンプルであり、時間と手間を省き、安全性能が良好である。該エアーコンディショナー１は、上台座２と、下台座３と、壁掛け板４と、パイプ保護ホルダ５と、パイプハーネス２０とを備える。上台座２は、下台座３に取り外し可能に接続され、且つ壁掛け板４及びパイプ保護ホルダ５を介して屋内の壁に取り付けられて、壁掛け構造を形成する。壁掛け板４が壁に固定して取り付けられることで、エアーコンディショナー１全体を支持する。上台座２が壁掛け板４に反転可能に係止接続されることで、上台座２を取り付けやすい。下台座３が壁掛け板４に係止され、取り外すとき、台座３を壁掛け板４から独立して取り外すことができる。パイプ保護ホルダ５の一端が壁掛け板４に取り外し可能に接続され、他端が上台座２に回転接続されることで、メンテナンスするとき脱着しやすい。パイプハーネス２０がパイプ保護ホルダ５の内部に取り付けられることで、パイプ保護ホルダ５を保護し、パイプ保護ホルダ５が切断されることを回避する。
【００２７】
パイプ保護ホルダ５は、パイプ保護部材６と、取り付け部材７とを含む。パイプ保護部材６内には、パイプハーネス２０を収容するためのパイプ保護室８が設けられ、パイプ保護室８は、パイプハーネス２０を収納することに用いられ、パイプハーネス２０を保護して、パイプハーネス２０が切断されることを防止する。パイプ保護部材６が取り付け部材７に接続され、パイプ保護部材６が壁掛け板４に取り外し可能に接続され、取り付け部材７が上台座２に回転接続されることによって、パイプ保護ホルダ５全体を上台座２と壁掛け板４との間に固定する。
【００２８】
図３を参照して、本実施例では、上台座２の底部には、逆鉤状の回転部９が設けられ、取り付け部材７のパイプ保護部材６とは反対側の一端には、回転部１０が設けられ、回転部１０には、柱状構造が設けられる。回転部９は、好ましくは、回転部１０に係止接続され、且つ回転部１０に回転接続されて、上台座２と取り付け部材７との取り外し可能な接続を達成し、メンテナンスする必要があるとき、上台座２が取り付け部材７に対して回転することができ、それにより、取り付け部材７が変形し、台座３を独立して取り外しやすい。
【００２９】
他の実施例では、上台座２の底部には、回転部１０が設けられ、回転部１０には、柱状構造が設けられ、取り付け部材７のパイプ保護部材６とは反対側の一端には、逆鉤状の回転部９が設けられる。回転部９は、好ましくは、回転部１０に係止接続され、且つ回転部１０に回転接続されて、上台座２と取り付け部材７との取り外し可能な接続を達成する。メンテナンスする必要があるとき、上台座２が取り付け部材７に対して回転することができ、それにより、取り付け部材７が変形し、下台座３を独立して取り外しやすい。
【００３０】
なお、取り付け部材７は、数が２つであり、２つの取り付け部材７は、パイプ保護部材６の両端に対向して設けられ、接続強度の条件を満たし、それに応じて、上台座２の底部には、位置が２つの取り付け部材７の位置と一対一で対応する２つの回転部９が設けられ、取り付け部材７における回転部１０に嵌合されやすい。しかし、取り付け部材７の数は、これに限られず、３つ又は４つまたはそれ以上であってもよく、取り付け部材７の数について具体的に限定しない。
【００３１】
図４を参照して、回転部１０は、第１接続部１１と、第２接続部１２と、取り付け部１３とを含む。第１接続部１１、取り付け部１３及び第２接続部１２は、組み合わせられてＵ字形を形成し、第１接続部１１は、取り付け部１３を介して第２接続部１２に接続され、且つ組み合わせられて回転室１４を形成する。上台座２における回転部９は、回転室１４を貫通して、且つ取り付け部１３に回転接続され、第１接続部１１及び第２接続部１２がそれぞれ回転部９の両側の動きを制限することで、回転部９が回転室１４から外れることを防止するとともに、回転部１０全体の強度を向上させる。
【００３２】
本実施例では、取り付け部１３は、柱状であり、回転部９との嵌合回転抵抗を減少させる。しかし、取り付け部１３は、これに限られず、回転部９に嵌合することが必要な接触面に面取りして弧面を形成してもよく、同様に、抵抗を減少させる作用を果たすことができる。
【００３３】
続いて、図３を参照して、本実施例では、パイプ保護部材６の取り付け部材７とは反対側の一端には、引っ掛かり部１５が設けられ、壁掛け板４の底部には、係止溝１６が設けられる。引っ掛かり部１５が係止溝１６に係止されて、パイプ保護部材６を壁掛け板４に取り付ける。しかし、これに限られず、管状材６の取り付け部材７とは反対側の一端には、係止溝１６が設けられ、壁掛け板４の底部には、引っ掛かり部１５が設けられてもよく、同様に、パイプ保護部材６を壁掛け板４に取り付けることができる。
【００３４】
本実施例では、引っ掛かり部１５及び係止溝１６は、数がいずれも２つであり、且つ一対一で対応し、２つの引っ掛かり部１５がパイプ保護部材６に間隔をおいて設けられ、接続強度の必要を満たす。しかし、これに限られず、引っ掛かり部１５の数は、３つ又は４つまたはそれ以上であってもよく、引っ掛かり部１５の数について具体的に限定していない。
【００３５】
図５を参照して、パイプ保護部材６の一端には、開口部２１が設けられ、開口部２１には、広口構造２２が設けられる。開口部２１がパイプ保護室８に連通し、パイプハーネス２０が広口構造２２を介してパイプ保護室８内に伸び込み、パイプハーネス２０が入りやすいように、広口構造２２が開口部２１を拡げ、且つ広口構造２２の内側壁は角がなくて滑らかであり、パイプハーネス２０を傷つけることがない。
【００３６】
なお、広口構造２２は、パイプ保護部材６の縁から、パイプ保護室８とは反対側の方向に延在しており、パイプハーネス２０を挿入しやすいように、広口構造２２のパイプ保護室８とは反対側の一端の側面断面積が、広口構造２２のパイプ保護室８に接近する一端の側面断面積より大きい。
【００３７】
パイプ保護部材６は、複数の接続板を組み合わせて形成され、複数の接続板は、側辺が順次に接続され、組み合わせられてパイプ保護室８を形成する。パイプ保護室８の側方断面は、多角形、弧形又はその他の異形であり、パイプ保護室８の側方断面形状について具体的に限定していない。
【００３８】
本実施例では、接続板は、数が３つであり、それぞれ、第１接続板１７、第２接続板１８及び第３接続板１９である。第１接続板１７、第２接続板１８及び第３接続板１９は、順次に接続され、且つ組み合わせられてパイプ保護室８を形成する。第１接続板１７の第２接続板１８とは反対側の一端が、第３接続板１９の第２接続板１８とは反対側の一端と同一の水平面内にあり、且ついずれも壁掛け板４の側面に当接され、壁掛け板４は、パイプ保護室８を密閉して、パイプ保護室８内のパイプハーネス２０を制限する。取り付け部材７が第１接続板１７に接続され、第３接続板１９が壁掛け板４に取り外し可能に接続される。
【００３９】
図６を参照して、広口構造２２は、階段状であり、広口構造２２は、第１端面２３と、接続面２４と、第２端面２５とを含む。第１端面２３は、接続面２４を介して第２端面２５に接続され、且つ湾曲状で設けられ、第１端面２３及び接続面２４が外へ延在して拡張し、第２端面２５がパイプ保護部材６の内表面と同一の水平面にある。接続面２４と第２端面２５との接続辺が面取りされ、取り付けでは、パイプハーネス２０が接続面２４と第２端面２５との接続辺に接触し、滑らかなフィレットがパイプハーネス２０に傷つけることがない。本実施例では、第１端面２３が第２端面２５に平行に設けられ、第１端面２３及び第２端面２５がいずれも接続面２４に垂直に設けられる、しかし、第１端面２３と接続面２４との間の角度の度数について具体的に限定しておらず、接続面２４と第２端面２５との間の角度の度数について具体的に限定していない。
【００４０】
他の実施例では、広口構造２２は、ラッパ状であり、広口構造２２のパイプ保護部材６とは反対側の一端の直径が、広口構造２２のパイプ保護部材６に接近する一端の直径より大きく、広口構造２２の側壁が滑らかな弧面である。
【００４１】
他の実施例では、広口構造２２は、カール状であり、パイプ保護部材６の縁から、パイプ保護室８とは反対側の方向へ曲がって形成され、広口構造２２の側壁が滑らかな弧面である。
【００４２】
図７を参照して、エアーコンディショナー１を取り付けることは、ステップＳ７０１と、ステップＳ７０２と、ステップＳ７０３とに分けられる。
壁掛け板４を部屋内の壁に固定して取り付けるステップＳ７０１。
【００４３】
具体的には、ステップＳ７０１では、壁の表面が鉛直であり、壁掛け板４は、壁面に密着して設けられ、同様に鉛直方向である。複数種の方式で壁掛け板４を壁に固定して取り付けることができ、本実施例では、ボルトによる固定方式で壁掛け板４を壁に固定して取り付ける。
【００４４】
上台座２と、下台座３と、パイプハーネス２０と、パイプ保護ホルダ５とを組み立てて、空調機ユニットを形成するステップＳ７０２。
【００４５】
具体的には、ステップＳ７０２は、ステップＳ７０２１と、ステップＳ７０２１と、ステップＳ７０２３といった３つステップを含む。
逆鉤状の２つの回転部９をそれぞれ２つの回転室１４内に挿入することによって、回転部９を回転部１０に回転接続し、パイプ保護ホルダ５と上台座２とを接続するステップＳ７０２１。
【００４６】
上台座２と下台座３とを接続し、エアーコンディショナー１のパイプハーネス２０をパイプ保護室８内に収容するステップＳ７０２２。
【００４７】
ステップＳ７０２１及びステップＳ７０２２の順序について具体的に限定しておらず、上記２つのステップを完了することで、空調機ユニットの組み立てを完了する。
【００４８】
本実施例では、ステップＳ７０２は、出荷前に完了されており、すなわち、工場内に空調機ユニットを組み立てて、次に運送して出荷し、このように、ステップＳ７０１を行う前には、まずステップＳ７０２を行う必要がある。しかし、これに限られず、ステップＳ７０２は、使用者により完了されてもよく、従って、まずステップＳ７０１を行ってから、ステップＳ７０２を行ってもよく、ステップＳ７０１及びステップＳ７０２の前後順序について具体的に限定していない。
【００４９】
空調機ユニットを壁掛け板４に取り付けるステップＳ７０３。
【００５０】
具体的には、ステップＳ７０３は、ステップＳ７０３１と、ステップＳ７０３２とを含む。
まず、空調機ユニットが壁掛け板４に対して所定角度で傾斜するように、上台座２を壁掛け板４に反転可能に係止接続するステップＳ７０３１。
【００５１】
次に、２つの引っ掛かり部１５をそれぞれ２つの係止溝１６に係合するまで、壁掛け板４の密着方向に空調機ユニットを回転させ、パイプ保護ホルダ５と壁掛け板４との接続を完了し、この過程で下台座３が壁掛け板４に係止されるステップＳ７０３２。
【００５２】
エアーコンディショナー１内のエアダクトユニットを洗浄するために、一般的に、下台座３を独立して取り外す必要がある。台座３を取り外すとき、上台座２を上向きに反転させ、上台座２の底部が壁掛け板４とは反対側壁の一側へ変位し、このとき、回転部９と回転部１０とが相対回転し、取り付け部材７が上台座２の連動で変形し、側壁掛け板４とは反対の一側へ変位することによって、下台座３の離脱空間が大きく、下台座３を壁掛け板４から取り外しやすい。次に、下台座３を上台座２から取り外すと、下台座３の独立取り外しを完了することができ、この過程では、パイプ保護室８内のパイプハーネス２０に傷つけることがない。
【００５３】
本発明の実施例のパイプ保護ホルダ５は、パイプ保護部材６内には、パイプハーネス２０を収容するためのパイプ保護室８が設けられ、パイプ保護部材６が取り付け部材７に接続され、パイプ保護部材６が壁掛け板４に取り外し可能に接続され、取り付け部材７が上台座２に回転接続される。本発明のパイプ保護ホルダ５は、従来のそれに比べて、パイプ保護室８が設けられるパイプ保護部材６、及び上台座２に回転接続される取り付け部材７を用いているので、エアーコンディショナーを脱着するとき、パイプ割れ現象の発生を防止することができ、且つ脱着しやすく、メンテナンス過程がシンプルであり、時間と手間を省き、安全性能が良好である。該パイプ保護ホルダ５が設けられるエアーコンディショナー１は、下台座３を取り付け、及び分離して取り外す過程では、パイプ割れ現象が発生することがなく、安全かつ信頼性が高い。
【００５４】
以上は、本発明の好適な実施例にすぎず、本発明を制限するものではなく、本発明の精神及び原理の範囲内で行われるいかなる補正及び均等な置換や改良などは、いずれも本発明の特許請求の範囲に含まれる。
【符号の説明】
【００５５】
１  エアーコンディショナー
２  上台座
３  下台座
４  壁掛け板
５  パイプ保護ホルダ
６  パイプ保護部材
７  取り付け部材
８  パイプ保護室
９  回転部
１０  回転部
１１  第１接続部
１２  第２接続部
１３  取り付け部
１４  回転室
１５  引っ掛かり部
１６  係止溝
１７  第１接続板
１８  第２接続板
１９  第３接続板
２０  パイプハーネス
２１  開口部
２２  広口構造
２３  第１端面
２４  接続面
２５  第２端面
【図１】
2021503064.tif 000003
【図２】
2021503064.tif 000004
【図３】
2021503064.tif 000005
【図４】
2021503064.tif 000006
【図５】
2021503064.tif 000007
【図６】
2021503064.tif 000008
【図７】
2021503064.tif 000009
【国際調査報告】
2021503064.tif 000010
2021503064.tif 000011
2021503064.tif 000012
2021503064.tif 000013